(57)【特許請求の範囲】
【請求項１】
ドライバ装置（４）用のマガジン機構（２）であって，ドライバ装置（４）に対して，その駆動軸線（Ａ）と同軸的に装着された第1ガイド部材（６）と，第1ガイド部材（６）から突出すると共に，固定素子（３４）を担持する支持ストリップ（３２）を受けるための露出した受け面（３０）を有する受け部材（８）と，第1ガイド部材（６）に設けた制御手段（１８）により作動可能であり，受け面（３０）における固定素子（３４）のための導出口（２８）を解除位置で開放すると共に係止位置では遮蔽する係止機構（２２）と，受け部材に設けた第２ガイド部材（５０）に沿って導出口（２８）に向けて弾性的に附勢され，固定素子（３４）を駆動軸線（Ａ）上まで搬送するために受け面（３０）内の搬送位置まで変位される当接手段（４４）を有する搬送スライダ（４０）とを具え，搬送スライダ（４０）がその開放位置で第２ガイド部材（５０）に対して固定され，当接手段（４４）が受け面（３０）を導入口（５８）に向けて開放するマガジン機構（２）において，搬送スライダ（４０）を開放位置で受け面（３０）から離間させ，搬送スライダ（４０）を巻き上げ機構（４６）により弾性的に附勢し，第２ガイド部材（５０）に，導出口（２８）とは反対側の端部で仮想転換点（６４）を有する湾曲部（６２）を設け，巻き上げ機構（４６）により搬送スライダ（４０）を，導出口（２８）から離間する方向に仮想転換点（６４）を超えて変位する際に開放位置に向けて附勢することを特徴とするマガジン機構。
【請求項２】
請求項１記載のマガジン機構において，第２ガイド部材（５０）が，導出口（２８）とは反対側の端部で受け面（３０）に対する延長部を有することを特徴とするマガジン機構。
【請求項３】
請求項１又は２に記載のマガジン機構において，受け面（３０）が前記導入口（５８）を含む導入部（５６）を有し，該導入部（５６）が導入口（５８）に向けて第２ガイド部材（５０）から離間することを特徴とするマガジン機構。
【請求項４】
請求項１〜３の何れか一項に記載のマガジン機構において，受け部材（８）が第１ガイド部材（６）に対して着脱可能であり，受け部材（８）を第１ガイド部材（６）から取り外した分離状態では，係止機構（２２）が受け面（３０）を自動的に係止することを特徴とするマガジン機構。
【請求項５】
請求項１〜４の何れか一項に記載のマガジン機構（２）を具える動力型ドライバ装置。
【発明の詳細な説明】
【技術分野】
【０００１】
本発明は，ドライバ装置用のマガジン機構に関し，特に，ドライバ装置に対して，その駆動軸線と同軸的に装着された第1ガイド部材と，第1ガイド部材から突出すると共に，固定素子を担持する支持ストリップを受けるための露出した受け面を有する受け部材と，第1ガイド部材に設けた制御手段により作動可能であり，受け面における固定素子のための導出口を解除位置で開放すると共に係止位置では遮蔽する係止機構と，受け部材に設けた第２ガイド部材に沿って導出口に向けて弾性的に附勢され，固定素子を駆動軸線上まで搬送するために受け面内の搬送位置まで変位される当接手段を有する搬送スライダとを具え，搬送スライダがその開放位置では第２ガイド部材に対して固定され，かつ，当接手段が受け面を導入口に向けて開放するマガジン機構に関するものである。
【背景技術】
【０００２】
上述の構成を有するマガジン機構を装備したドライバ装置によれば，短時間に多くの固定素子を打ち込むことが可能となる。固定素子の搬送及び分離は，搬送スライダ及び係止機構の協働により実現する。打ち込み工程の間，ガイド部材が打ち込み対象の施工対象に対して押圧されると，係止機構は可動の制御手段により設定された解除位置及び係止位置まで移動する。同時に永続的なばね力が搬送スライダにより固定素子に作用し，このばね力は解除位置で固定素子をガイド部材の方向へ変位させる。搬送スライダの開放位置において，固定素子を搬送方向とは逆方向に受け部材から離間させることも可能である。
【０００３】
特開平１０−２３５５７３号公報（特許文献１）に開示された固定素子用マガジンの場合，搬送スライダは開放位置で搬送スライダガイド部材に固定される。搬送スライダはダブルアームレバーを具え，その第1レバーアームは受け面の側壁で対応する凹所に係留される。同時に，搬送ラッチにより形成され，第２レバーアームに保持される当接手段が，露出した受け面から旋回して外される。
【特許文献１】特開平１０−２３５５７３号公報
【０００４】
既知のマガジン機構は，ダブルアームレバーを設けた構成により比較的コスト高となる場合があり，また，マガジンが分離されると固定素子を受け面に確実に保持することができない。
【発明の開示】
【発明が解決しようとする課題】
【０００５】
本発明の課題は，従来技術における上述した問題点を解消し，構成が簡単であって低コストで製造することができ，しかも受け面において固定素子を常に確実に保持可能したドライバ装置用のマガジン機構を提案することにある。
【課題を解決するための手段】
【０００６】
この課題を解決するため，本発明によるマガジン機構は，本文冒頭に記載した構成のマガジン機構，すなわち，ドライバ装置に対して，その駆動軸線と同軸的に装着された第1ガイド部材と，第1ガイド部材から突出すると共に，固定素子を担持する支持ストリップを受けるための露出した受け面を有する受け部材と，第1ガイド部材に設けた制御手段により作動可能であり，受け面における固定素子のための導出口を解除位置で開放すると共に係止位置では遮蔽する係止機構と，受け部材に設けた第２ガイド部材に沿って導出口に向けて弾性的に附勢され，固定素子を駆動軸線上まで搬送するために受け面内の搬送位置まで変位される当接手段を有する搬送スライダとを具え，搬送スライダがその開放位置で第２ガイド部材に対して固定され，当接手段が受け面を導入口に向けて開放するマガジン機構において，搬送スライダを開放位置で受け面から離間させ，搬送スライダを巻き上げ機構により弾性的に附勢し，第２ガイド部材に，導出口とは反対側の端部で仮想転換点を有する湾曲部を設け，巻き上げ機構により搬送スライダを，導出口から離間する方向に仮想転換点を超えて変位する際に開放位置に向けて附勢することを特徴とするものである。
【０００７】
すなわち，本発明によれば，搬送スライダが当接手段と共に完全に受け面から離れることにより，導入口に向けて開放される。当接手段は不動として搬送スライダに保持可能となるため，搬送スライダ及びマガジン機構の構造全体が著しく簡素化される。それに対して，搬送スライダが搬送位置に止まると，当接手段が受け面に位置すると共に搬送スライダから固定素子へ安定に力を伝達する。更に，搬送位置においては，固定素子の導入口からの不所望な脱落を防止する。
【０００８】
搬送スライダをガイドするための第２ガイド部材には，導出口とは反対側の端部に受け面に対する延長部を設けるのが好適である。それにより，搬送スライダを，受け面の導入口を超えて第２ガイド部材から離間する方向に変位させることができる。これと同時に，搬送スライダの当接手段が受け面から離間変位する。第２ガイド部材を単に延長することにより，簡単な構造のマガジン機構が実現可能である。
【０００９】
受け面には，導入口を含む導入部を設けるのが好適である。それにより，搬送スライダを受け面の導入口を超えて第２ガイド部材から離間変位させることが可能である。導入部を第２ガイド部材から所定方向に変位させることにより，特に短い部分を通じて搬送スライダを受け面から離間変位させることができ，その結果として離間変位に要する構造スペースが最小化される。
【００１０】
削除
【００１１】
上述したとおり，本発明においては，搬送スライダを巻き上げ機構により弾性的に附勢し，第２ガイド部材に導出口とは反対側の端部で仮想転換点を有する湾曲部を設け，該巻き上げ機構により搬送スライダを，導出口から離間する方向に仮想転換点を超えて変位する際に開放位置に向けて附勢する。したがって，同じ弾性素子により，固定素子を搬送するために必要な導出口に向けての附勢力のみならず，搬送スライダの開放位置に向けての附勢力も得られる。巻き上げ機構の附勢方向は，第２ガイド部材の転換点に対する搬送スライダの位置決めに応じて選択される。搬送スライダの搬送位置と開放位置との間の切り替えを，特に簡便に行うことが可能である。
【００１２】
更に，受け部材が第１ガイド部材に対して着脱可能であり，受け部材を第１ガイド部材から取り外した分離状態では，係止機構が受け面を自動的に係止する構成とするのが好適である。この場合，固定素子が意に反して受け面から脱落する事態を回避することができ，また，装填状態でも受け部材をドライバ装置から取り外すことができる。
【００１３】
本発明は，更に，上述した構成のマガジン機構を具えるドライバ装置を提供するものである。
【発明を実施するための最良の形態】
【００１４】
以下，本発明を図示の実施形態について更に具体的に説明する。
【００１５】
本発明によるマガジン機構２は，例えば図１に示すコードレス型のスクリュードライバ装置４に装着するものである。マガジン機構２は，概ねスリーブ形状のガイド部材６（第１ガイド部材）と，ガイド部材６から側方に突出する受け部材８とで構成される。ガイド部材６及び受け部材８は，結合手段１０により着脱可能であり，図１では分離状態で示されている。
【００１６】
ガイド部材６は，結合スリーブ１２によりドライバ装置４に固定する。ガイド部材６は，固定素子の駆動方向Ｅ側に位置する端部にストッパ１４を有する。ストッパ１４は，ガイド部材６の残部に対して伸縮可能に担持されている。ガイド部材６の外面１６には，制御手段１８としてリブが設けられている。
【００１７】
受け部材８は，結合手段１０によりストッパ１４に結合する。ストッパ１４には，ガイド部材６から側方に向けて突出する支持素子２０を結合する。この支持素子２０上において，受け部材８を係止機構２２の領域で摺動可能とする。
【００１８】
係止機構２２は，図２に明示するように，旋回軸線２４を中心として旋回可能な係止ラッチ２６を有する。係止ラッチ２６により，受け部材８における受け面３０を有する受けチャンネルの導出口２８を，部分的に係止可能とする。受け部材８における受け面３０には，固定素子３４を担持した支持ストリップ３２を収納する。図２に示した係止ラッチ２６の係止位置では，支持ストリップ３２に設けられた複数の係合凹所３６の１個に係止ラッチ２６が係合する。更に，係止ラッチ２６には作動素子３８が設けられている。作動素子３８に圧力が及ぼされると，係止ラッチ２６が破線で示す解除位置まで移動し，その解除位置で支持ストリップ３２及び固定素子３４のための導出口２８を開放する。
【００１９】
図３及び図４に示すように，支持ストリップ３２を導出口２８に向けて搬送するための搬送スライダ４０を設ける。理解を容易とするため，搬送スライダ４０を，縦断面で表した受け部材８に関連させて表示した。搬送スライダ４０は作動部材４２を有し，この作動部材４２は受け部材８の外面に案内されるために外部から操作可能である。当接手段４４として機能するウェブを介して作動部材４２を弾性巻き上げ機構４６に結合し，この弾性巻き上げ機構４６は２個のピン素子４８により，受け部材８における溝状を呈するガイド部材５０（第２ガイド部材）に係合する。ガイド部材５０は，搬送スライダ４０をガイドするものである。
【００２０】
弾性巻き上げ機構４６は，テンションベルト５４を巻き上げ／巻き戻すためのドラム５２を具える。テンションベルト５４の端部５４ａは，導出口２８の領域に固定する。
【００２１】
図３及び図４に示すように，受け面３０は略全長Ｂに亙り，ガイド部材５０と平行に配置されている。受け面３０は，導出口２８とは反対側の端部で，導入口５８に向けてガイド部材５０から離間するように湾曲した導入部５６を有する。
【００２２】
図４に示すように，ガイド部材５０は，導入口５８の領域で受け面３０に対応する延長部６０を有する。この延長部６０は，ガイド部材５０における導出口２８とは反対側の端部で大きな湾曲部６２に連続する。湾曲部６２は仮想転換点６４を有する。すなわち，搬送スライダ４０は，仮想転換点６４を超えて導出口２８から離れる方向に変位する際，弾性巻き上げ機構４６の作用により湾曲部６２の端部ストッパ６６まで移動し，端部ストッパ６６に対して押圧される。
【００２３】
搬送スライダ４０は，図３に示すように，受け面３０に関して開放位置に止まる。この開放位置では，固定素子３４を担持した支持ストリップ３２を，受け部材８の受け面３０に対して導入可能である。
【００２４】
引き続いて，搬送スライダ４０は端部ストッパ６６から離間し，仮想転換点６４を超えて移動する。したがって，図２に示すように，搬送スライダ４０が搬送位置まで移動し，弾性巻き上げ機構４６の巻き上げ力により導出口２８に向けて，引張ベルト５４に対して押圧される。当接手段４４として機能するウェブを介して搬送スライダ４０は支持ストリップ３２を押圧すると共に，支持ストリップ３２を導出口２８に向けて附勢する。
【００２５】
ガイド部材６におけるストッパ１４に受け部材８が結合すると，打ち込み工程が実行可能となる。ストッパ１４は施工対象（図示せず）に対して押圧される。その際，ストッパ１４はガイド部材６の残部に対して変位する。同時に，受け部材８もガイド部材６に対して変位する。係止機構２２の作動素子３８が制御手段１８に接触し，制御手段１８により押圧される。その結果，係止ラッチ２６が軸線２４を中心として旋回し，導出口２８を開放する。
【００２６】
支持ストリップ３２が依然として搬送スライダ４０により導出口２８に向けて附勢されているため，最初の固定素子３４がドライバ装置４の駆動軸線Ａ上に到達するまで，支持ストリップ３２が受け面３０に対して変位する。
【００２７】
最初の固定素子３４が打ち込まれると，ドライバ装置４は再び施工対象から離される。同時にストッパ１４は再びガイド部材６の残部に対して外向きに変位する。係止ラッチ２６が制御手段１８から離れるため，係止ラッチ２６は軸線２４を中心に旋回して係止位置まで復帰する。したがって係止ラッチ２６が支持ストリップ３２における次の係合凹所３６に係合し，支持ストリップ３２の更なる搬送を阻止する。
【００２８】
このようにして，本発明によれば，短時間に多くの打ち込み工程を連続的に実行することができる。
【００２９】
支持ストリップ３２の全ての固定素子３４が消費されると，搬送スライダ４０は作動部材４２により延長部６０及び転換点６４を超えて開放位置まで直ちに移動する（図３）。受け面３０は，もはや搬送スライダ４０によりブロックされないため，新たな支持ストリップを装填することが可能である。
【００３０】
更に，例えば，装填されている受け部材８をガイド部材６から取り外して，別の固定素子３４をセットした別の受け部材８を取り付けることも可能である。受け部材８をガイド部材６から取り外した分離状態では，導出口２８の係止機構２２及び搬送位置に止まる搬送スライダにより，固定素子３４が意に反して受け部材８から滑落する事態を的確に防止することが可能である。
【図面の簡単な説明】
【００３１】
【図１】本発明によるマガジン機構を設けたドライバ装置を，受け部材の分離状態で    示す斜視図である。
【図２】装填状態にある受け部材を，導出口を一部破断して部分的に示す斜視図であ    る。
【図３】搬送スライダの開放位置で受け部材を示す，図１のＩＩＩ−ＩＩＩ線に沿う    断面図である。
【図４】搬送スライダの搬送位置で受け部材を示す，図１のＩＶ−ＩＶ線に沿う断面    図である。
【符号の説明】
【００３２】
２  マガジン機構
４  ドライバ装置
６  ガイド部材
８  受け部材
１０  結合手段
１２  結合スリーブ
１４  ストッパ
１６  外面
１８  制御手段
２０  支持素子
２２  係止機構
２４  軸線
２６  係止ラッチ
２８  導出口
３０  受け面
３２  支持ストリップ 
３４  固定素子
３６  係合凹所
３８  作動素子
４０  搬送スライダ
４２  作動部材
４４  当接手段
４６  弾性巻き上げ機構
４８  ピン素子
５０  搬送スライダのガイド部材
５２  ドラム
５４ａ  端部
５６  導入部
５８  導入口
６０  延長部
６２  湾曲部
６４  仮想転換点
６６  端部ストッパ
【図１】
0004729295.tif 000002
【図２】
0004729295.tif 000003
【図３】
0004729295.tif 000004
【図４】
0004729295.tif 000005